(57)【要約】【課題】電気素子の放熱を良好にする技術を提供する。【解決手段】ヒートシンク２は面１１に密着して取り付けられるベース２０と、ベース２０に関して面１１とは反対側に設けられたフィン２１とを有している。面１２とヒートシンク２とは熱伝導部材である金属片３で接続され、両者間での熱伝導が行われる。電気素子１は面１１のみならず面１２も金属片３を介してヒートシンク２に取り付けられるので、面１２側での発熱は熱伝導部材という熱抵抗の小さい経路を介してヒートシンク２へと至り、ヒートシンク２で放熱される。よって電気素子１の放熱効率が高まり、以てヒートシンク２を小さくできる。【選択図】図１
2008004869.tif 000002
【特許請求の範囲】
【請求項１】
相互に異なる第１乃至第３面（１１，１２，１３）を呈するパッケージに封止され、前記第３面から突出した複数のリード線（１００）を有し、前記複数のリード線に電流を流す電気素子（１）と、
前記第１面に密着して取り付けられるヒートシンク（２）と、
前記第２面と前記ヒートシンクとを接続し、両者間での熱伝導を行う熱伝導部材（３）と
を備える、電気部品。
【請求項２】
前記複数のリード線（１００）は、前記第３面（１３）から突出し、前記第１面（１１）から前記第２面（１２）へと向かう方向（Ｚ）へと屈曲する、請求項１記載の電気部品。
【請求項３】
前記第１面（１１）及び前記第２面（１２）は前記電気素子（１）の他のいずれの面（１３，１４，１５，１６）よりも広い、請求項１乃至請求項２のいずれか一つに記載の電気部品。
【請求項４】
前記電気素子（１）は前記第１面（１１）側に放熱板（１０１）を有し、前記ヒートシンク（２）は前記放熱板と密着して取り付けられる、請求項１乃至請求項３のいずれか一つに記載の電気部品。
【請求項５】
前記第２面（１２）は、前記熱伝導部材（３）が嵌合する凹部（１２ａ）を有する、請求項１乃至請求項４のいずれか一つに記載の電気部品。
【発明の詳細な説明】
【技術分野】
【０００１】
この発明は電気部品に関し、特にヒートシンクを備えたものに関する。
【背景技術】
【０００２】
電気部品、中でも大容量の電流を流すものは、その放熱のため、ヒートシンクが備えられる。当該電気部品としてはダイオードブリッジを例示することができる。
【０００３】
本発明に関連する文献として特許文献１を挙げておく。
【０００４】
【特許文献１】特許３２５９５７６号公報
【発明の開示】
【発明が解決しようとする課題】
【０００５】
しかし、これまでのヒートシンクは電気素子の一方のみに取り付けられていたため、放熱が十分ではなかった。
【０００６】
そこでこの発明では、電気素子の放熱を良好にする技術を提供することを目的とする。
【課題を解決するための手段】
【０００７】
この発明にかかる電気部品の第１の態様であって、相互に異なる第１乃至第３面（１１，１２，１３）を呈するパッケージに封止され、前記第３面から突出した複数のリード線（１００）を有し、前記複数のリード線に電流を流す電気素子（１）と、前記第１面に密着して取り付けられるヒートシンク（２）と、前記第２面と前記ヒートシンクとを接続し、両者間での熱伝導を行う熱伝導部材（３）とを備える。
【０００８】
この発明にかかる電気部品の第２の態様は、その第１の態様であって、前記複数のリード線（１００）は、前記第３面（１３）から突出し、前記第１面（１１）から前記第２面（１２）へと向かう方向（Ｚ）へと屈曲する。
【０００９】
この発明にかかる電気部品の第３の態様は、その第１の態様もしくは第２の態様であって、前記第１面（１１）及び前記第２面（１２）は前記電気素子（１）の他のいずれの面（１３，１４，１５，１６）よりも広い。
【００１０】
この発明にかかる電気部品の第４の態様は、その第１の態様乃至第３の態様のいずれかであって、前記電気素子（１）は前記第１面（１１）側に放熱板（１０１）を有し、前記ヒートシンク（２）は前記放熱板と密着して取り付けられる。
【００１１】
この発明にかかる電気部品の第５の態様は、その第１の態様乃至第４の態様のいずれかであって、前記第２面（１２）は、前記熱伝導部材（３）が嵌合する凹部（１２ａ）を有する。
【発明の効果】
【００１２】
この発明にかかる電気部品の第１の態様によれば、この発明にかかる電気部品の第１の態様において、電気素子は第１面のみならず第２面も熱伝導部材を介してヒートシンクに取り付けられる。よって電気素子の放熱効率が高まり、以てヒートシンクを小さくできる。
【００１３】
この発明にかかる電気部品の第２の態様によれば、電気素子をプリント基板へと搭載する際、そのリード線の先端が当該プリント基板に接続される。よってこの発明にかかる電気部品の第２の態様は、リード線が屈曲する側に存在する第２面と、プリント基板との間に滞留し易い熱を放熱する観点で好適である。
【００１４】
この発明にかかる電気部品の第３の態様によれば、この発明にかかる電気部品の第３の態様によれば、広い面から放熱するので、放熱効率が高い。
【００１５】
この発明にかかる電気部品の第４の態様によれば、この発明にかかる電気部品の第３の態様によれば、電気素子とヒートシンクとの間の熱抵抗を小さくし、以て放熱効率を高める。
【００１６】
この発明にかかる電気部品の第５の態様によれば、電気素子をプリント基板へと搭載する際、そのリード線の先端が当該プリント基板に接続される。よってこの発明にかかる電気部品の第５の態様は、リード線が屈曲する側に存在する第２面とプリント基板との間で熱伝導部材が占める空間を低減する観点で好適である。また、電気素子と熱伝導部材との間の熱抵抗を小さくし、以て放熱効率を高める観点からも望ましい。
【発明を実施するための最良の形態】
【００１７】
図１はこの発明の実施の形態にかかる電気部品の構成を示す側面図である。また図２は当該電機部品の構成を示す斜視図である。いずれも電機部品の構成を示す座標系として便宜的にXYZ軸（右手系）を採用している。
【００１８】
当該電機部品は電気素子１及びこれが取り付けられたヒートシンク２を備えている。
電気素子１はＺ方向に垂直な面１１，１２と、Ｘ軸方向に垂直な面１５，１６と、Ｙ軸奉公に垂直な面１３，１４とを備えたパッケージに封止されている。そして面１３からは電気素子１の電流の入出力を行う、複数のリード線１００が突出している。
【００１９】
ヒートシンク２は面１１に密着して取り付けられるベース２０と、ベース２０に関して面１１とは反対側に設けられたフィン２１とを有している。ヒートシンク２と電気素子１との取り付けは、ビス４１によって行われている。かかる取り付けの目的のため、電気素子１は面１１，１２の間を貫通する貫通孔が設けられている。
【００２０】
面１２とヒートシンク２とは熱伝導部材である金属片３で接続され、両者間での熱伝導が行われる。熱伝導部材は金属でなくても、熱伝導が良好な材料を採用できる。例えば熱伝導ゴムを採用してもよい。金属片３はビス４１，４２によって、それぞれ面１２，ベース２０に取り付けられている。
【００２１】
従来のように面１１のみがヒートシンク２に取り付けられている場合には、面１２側での発熱はこれに面する空気へと、電気素子１自身を介してのヒートシンク２へと、の二つの経路で放熱される。よって面１２側の発熱を放熱するための熱抵抗は大きく、よって電気素子１の放熱を十分に行うことは困難であり、またヒートシンク２を大きくすることでの放熱効率を高める必要があった。
【００２２】
しかしながら本発明では電気素子１は面１１のみならず面１２も熱伝導部材を介してヒートシンク２に取り付けられるので、面１２側での発熱は熱伝導部材という熱抵抗の小さい経路を介してヒートシンク２へと至り、ヒートシンク２で放熱される。よって電気素子１の放熱効率が高まり、以てヒートシンク２を小さくできる。
【００２３】
リード線１００は、面１３から突出し、面１１から面１２へと向かう方向（正のＺ軸方向）へと屈曲する。これにより、そのリード線１００の各々の先端をプリント基板５に接続し、電気素子１をプリント基板５へと搭載することができる。よって金属片３が無ければ、面１２とプリント基板５との間には熱が滞留し易い。
【００２４】
しかしながら、上述のように金属片３を設けることにより、面１２側の放熱も良好にでき、電気素子１を放熱する観点で好適である。
【００２５】
なお、面１１、１２は電気素子１の他のいずれの面１３，１４，１５，１６よりも広いことが望ましい。広い面から放熱する方が放熱効率が高いからである。
【００２６】
また電気素子１は面１１側に放熱板１０１を有していることが望ましい。ヒートシンク２が放熱板１０１と密着して取り付けられるので、電気素子１とヒートシンク２との間の熱抵抗を小さくできるからであり、これは放熱効率を高めることとなる。
【００２７】
また、電気素子１をプリント基板５へと搭載する際、リード線１００の各々の先端がプリント基板５に接続される。よって面１２とプリント基板５との間で金属片３が占める空間を低減する観点から、面１２は、金属片３が嵌合する凹部１２ａを有することが望ましい。金属片３と凹部１２ａとの嵌合は、電気素子１と金属片３との間の熱抵抗を小さくし、以て放熱効率を高める観点からも望ましい。
【図面の簡単な説明】
【００２８】
【図１】この発明の実施の形態にかかる電気部品の構成を示す側面図である。
【図２】この発明の実施の形態にかかる電気部品の構成を示す斜視図である。
【符号の説明】
【００２９】
１１〜１６  面
１２ａ  凹部
１００  リード線
２  ヒートシンク
３  金属片
【図１】
2008004869.tif 000003
【図２】
2008004869.tif 000004